(57)【要約】      （修正有）【課題】地域的な人間交流とコミュニケーションが採れるように支援するシステムを提供する。【解決手段】通信回線（インターネットなど）を使用し、同業もしくは異業を問わず、複数の加盟事業者とユーザー間における社会的経済的情報をコンピュータネットワーク介しサーバーにより一元管理して、当該加盟事業者とユーザー間の物流・商流・情報流に関する情報、即ち社会的行為とか個人的行為、経済的行為等の全ての行為に関する情報の流れの中で必要に応じて該サーバーによって加盟事業者・ユーザーに情報を伝達し、利用可能としたもの。【選択図】図１
2007073021.tif 000002
【特許請求の範囲】
【請求項１】
複数多種の商品購入を目的とする顧客及び製品展示販売や歌手デビュー、役者デビューを目的とするユーザーがそれぞれ保有するコンピュータや携帯電話等のユーザー側端末と、複数多種の商品販売を目的とする商店及び製品開発を目的とする協力企業と研究機関並びにイベント企画主催会社やプロダクションがそれぞれ保有するコンピュータや携帯電話等の加盟事業者側端末が、通信ネットワークを介してそれぞれ商店街及びショッピングモールやスーパーマーケット等に設けられた、中央サーバーに接続された地域支援システムにおいて、前記中央サーバーは、ユーザーＩＤコードとユーザーの利用状況を認証する手段と、利用データ及びユーザーの持込んだ製品のデータ並びにプロフィールから成るユーザーデータベースを作成する手段と、前記ユーザーデータベースを記憶する手段と、このユーザーデータベースに基づいて商品情報及び製品アイデア情報並びにプロフィールを加盟事業者側端末に送信する手段と、該商品情報及び製品アイデア情報並びにプロフィールに対して、加盟事業者側端末から送信された、商品情報及び技術情報並びにオーデション情報を受信する手段と、受信した商品情報及び技術情報並びにオーデション情報を、ユーザー側端末に送信する手段と、ホームページによりフリーマーケットや個人用小店舗スペース等の各イベント及び施設情報を公開する手段を、備えたことを特徴とするネットワークを利用した地域支援システム。
【請求項２】
前記ユーザーが該通信ネットワークを用いて該商店街及びショッピングモールやスーパーマーケット等のホームページにアクセスして、各イベント情報を検索する第１のステップと、登録する為にユーザー情報を送信する第２のステップと、送信されたユーザー情報を前記商店街サーバーのデータベースに登録し、登録したユーザーにＩＤ番号を付与する第３のステップと、登録したユーザーが該地域支援システムを利用し、商品の購入及びフリーマーケットや個人用小店舗スペースにおける、製品展示販売及びパフォーマンス等のデータや製品データ並びにプロフィールから成るユーザーデータベース作成する手段と、前記ユーザーデータベースを記憶する手段を、有することを特徴とする請求項１記載のネットワークを利用した地域支援システム。
【請求項３】
前記ユーザーデータベースに基づいて、商品情報及び製品アイデア情報並びにプロフィールを、多数種の商品販売を目的とする商店及び製品開発を目的とする協力企業並びに研究機関並びにイベント企画主催会社やプロダクションがそれぞれ保有するコンピュータや携帯電話等の加盟事業者側端末に送信する手段と、該商品情報及び製品アイデア情報並びにプロフィールに対して、コンピュータや携帯電話等の加盟事業者側端末から送信された、商品情報及び技術情報並びにオーデション情報を受信する手段と、受信した商品情報及び技術情報並びにオーデション情報の加盟事業者データベースを作成する手段と、前記加盟事業者データベースを記憶する手段を有することを特徴とする請求項１記載のネットワークを利用した地域支援システム。
【請求項４】
前記加盟事業者データベースに記憶された、商品情報及び技術情報並びにオーデション情報をユーザーデータベースに基づいて、それぞれのユーザーに支援情報として送信する手段と、更にユーザーデータベースと加盟事業者データベースに基づいて、ユーザーに対して製品の製造のおける技術や資金等の支援及び製品の販売における広告宣伝や窓口としての支援や歌手デビュー、役者デビューを目的とするユーザーへのマネージメント及びプロリュース等の支援をすることを特徴とする請求項１〜３記載のネットワークを利用した地域支援システム。
【発明の詳細な説明】
【技術分野】
【０００１】  本発明は、通信ネットワークを介した商店街、ショッピングモール、スーパーマーケット等でのショッピング及びフリーマーケットや個人用小店舗スペースにおける製品展示販売等で、商店街、ショッピングモール、スーパーマーケットを利用するユーザーの、ユーザー情報や製品アイデア情報、更にはサポートする加盟事業者情報及び製品アイデアに対する技術情報を一元的に管理し、商店街、ショッピングモール、スーパーマーケットを利用するユーザー及び地域への総合支援システムに係り、これまで行なわれている、商品やイベント情報サービスに止まらずに、商店街、ショッピングモール、スーパーマーケットを利用するユーザーの経済及び開発行為に対して、協力企業等の紹介及び技術、販売、宣伝等を総合的に支援する為のシステムに関する。
【背景技術】
【０００２】  近年、インターネットなどの通信ネットワークを介した電子商取引が盛んに行なわれている。これは、売主側がインターネットのホームページ上に商品やサービス等の情報及び料金や申込方法等を開示し、買主側は、該ホームページにアクセスして、画面上で商品を選択し、それに基づく注文情報を、インターネットを介して売主側に送信するものであり、この種の電子商取引システムの導入によって、買主は当然のことながら、直接店舗に出向かなくても商品やサービスの注文が可能となり、一方、売主側にとっても、インターネットによる幅広い宣伝効果によって新規の顧客を獲得することができると共に、事務処理業務を定式化し、それに基づき合理化を図れるなど、双方にとってメリットがもたらされるものである。【０００３】  前記の様にインターネットの急速な発展にともない、ネット上の商店を集めた、仮想商店街は、その数や店舗数が増加し、売上も伸ばしている。それとは逆に、現実の商店街は、大型店舗の郊外への出店等も併せて活気を失っているものが多い。【０００４】  そこで、インターネットを利用して既存の商店街を支援することを目的とした商店街情報や商店情報、商品やサービス情報などを提供するシステムが考えられ、現在次のようなものがある。
例えば、商店街が共同でホームページを作り、その商店街情報や個々の商店情報や商品情報を発信する宣伝情報提供システムとか、仮想商店街を構築し、商品や役務の受発注をおこなえるショッピングサイトとかである。【０００５】  前記したものはいずれもサービス提供者側や企業側が予め登録蓄積した商店街情報をインターネット介して開示するもので、これら開示された情報を利用者が任意に検索して目的情報を得るものである。
しかし、その蓄積された商店街情報は必ずしも商店街と利用者の間の生活に根ざしたコミュニケーションを支援するものでは無かった。【０００６】
【特許文献１】特許第２７５６４８３
【発明の開示】
【発明が解決しようとする課題】
【０００７】  しかしながら、近年急速に発展してきたコンピュータネットワークを利用した電子商取引や電子情報取引などで、簡単に仮想商店街や仮想商店が構築でき、空間と時間を越えた取引ができることで、多くの人々に人気が出てきているが、これは現実の実態社会の活動とは遊離した仮想的な存在となっているものが多い。当該電子商取引や電子情報取引等による仮想的な経済は、現実に存在するリアル商店街、ショッピングモール、スーパーマーケット等の商店における実態経済と競合関係になっている。このため、仮想経済が盛んになると、その分従来から現実に存在するリアル商店街、ショッピングモール、スーパーマーケット等の商店の利用度が減少しその経営環境が厳しくなる傾向がある。昔から身近な生活圏にある商店街、ショッピングモール、スーパーマーケット等の商店には日常の買い物が近くできるという便利さとともにショッピングの楽しさや、人間的な交流があり、そこには地域に根ざした人々の生活とコミュニケーションそのものがあったが、当該商店街、ショッピングモール、スーパーマーケットがなくなることによって、このような地域的な人間交流とコミュニケーションのある、生活が失われることは、人間関係の希薄なさびしい生活となるものである。【０００８】  一方、公衆回線を利用したインターネット等の通信ネットワークによる個人ユーザーと商店や企業の双方向性サービスについては、ユーザーや商品の情報提供・収集・管理を個別に処理するシステムは存在するが、それぞれのシステムを総合的に結び付けたシステムは存在しなかった。【０００９】  また、従来のシステムは、商店や企業がユーザー登録等の手段で情報を収集しても、その情報はその商店や企業の商品等の販売目的に利用されるだけであり、ユーザーは積極的に個人情報を提供しないことが多かった。また、インターネット上のホームページ閲覧では、ユーザーは各種の情報を入手するが、情報を得る以外の利点（インセンティブ）が少なく、同じホームページに複数回アクセスしようという動機付けに欠けていた。【００１０】  そこで、本発明の目的は、通信回線（インターネットなど）を使用し、同業もしくは異業を問わず、複数の加盟事業者とユーザー間における社会的経済的情報をコンピュータネットワーク介しサーバーにより一元管理して、当該加盟事業者とユーザー間の物流・商流・情報流に関する情報、即ち社会的行為とか個人的行為、経済的行為等の全ての行為に関する情報の流れの中で必要に応じて該サーバーによって加盟事業者・ユーザーに情報を伝達し、利用可能としたシステムを提供することを目的とするものである。
更に、本発明者は、このような現実に存在するリアル商店街、ショッピングモール、スーパーマーケット等の情報を身近に存在する周辺のユーザーに優先的に提供し、商店とユーザーのコミュニケーションが採れるように支援するシステムを提供したいと考えたものである。
【課題を解決するための手段】
【００１１】  複数多種の商品購入を目的とする顧客及び製品展示販売や歌手デビュー、役者デビューを目的とするユーザーがそれぞれ保有するコンピュータや携帯電話等のユーザー側端末と、複数多種の商品販売を目的とする商店及び製品開発を目的とする協力企業と研究機関並びにイベント企画主催会社やプロダクションがそれぞれ保有するコンピュータや携帯電話等の加盟事業者側端末が、通信ネットワークを介してそれぞれ商店街及びショッピングモールやスーパーマーケット等に設けられた、中央サーバに接続された地域支援システムにおいて、前記サーバは、ユーザーＩＤコードとユーザーの利用状況を認証する手段と、利用データ及びユーザーの持込んだ製品のデータ並びにプロフィールから成るユーザーデータベースを作成する手段と、前記ユーザーデータベースを記憶する手段と、このユーザーデータベースに基づいて商品情報及び製品アイデア情報並びにプロフィールを加盟事業者側端末に送信する手段と、該商品情報及び製品アイデア情報並びにプロフィールに対して、加盟事業者側端末から送信された、商品情報及び技術情報並びにオーデション情報を受信する手段と、受信した商品情報及び技術情報並びにオーデション情報を、ユーザー側端末に送信する手段と、ホームページによりフリーマーケットや個人用小店舗スペース等の各イベント及び施設情報を公開する手段を、備えたものであり、これらユーザーと加盟事業者を統括するシステム主催者とで構成される組織にで、ユーザーからの支援要請に適した加盟事業者をシステム主催者が選んで紹介し又は製品の製造、販売、宣伝等を支援するシステムである。【００１２】  前記ユーザーが該通信ネットワークを用いて該商店街及びショッピングモールやスーパーマーケット等のホームページにアクセスして、各イベント情報を検索する第１のステップと、登録する為にユーザー情報を送信する第２のステップと、送信されたユーザー情報を前記商店街サーバーのデータベースに登録し、登録したユーザーにＩＤ番号を付与する第３のステップと、登録したユーザーが該地域支援システムを利用し、商品の購入及びフリーマーケットや個人用小店舗スペースにおける、製品展示販売及びパフォーマンス等の利用データや製品データ並びにプロフィールから成るユーザーデータベース作成する手段と、前記ユーザーデータベースを記憶する手段を、有するもので、ユーザーデータベースを作成することで、多種類の支援要請に応えることができ、特に、製品の情報やそれに対する支援事業者の選択や紹介をスムーズ行なうことができる。【００１３】  前記ユーザーデータベースに基づいて、商品情報及び製品アイデア情報並びにプロフィールを、多数種の商品販売を目的とする商店及び製品開発を目的とする協力企業並びに研究機関並びにイベント企画主催会社やプロダクションがそれぞれ保有するコンピュータや携帯電話等の加盟事業者側端末に送信する手段と、該商品情報及び製品アイデア情報並びにプロフィールに対して、コンピュータや携帯電話等の加盟事業者側端末から送信された、商品情報及び技術情報並びにオーデション情報を受信する手段と、受信した商品情報及び技術情報並びにオーデション情報の加盟事業者データベースを作成する手段と、前記加盟事業者データベースを記憶する手段を有するもので、この加盟事業者データベースには、その事業者の業種や過去及び現在の支援状況や支援結果等が記憶され、ユーザーの支援要請に的確に応えることができる。【００１４】  前記加盟事業者データベースに記憶された、商品情報及び技術情報並びにオーデション情報をユーザーデータベースに基づいて、それぞれのユーザーに支援情報として送信する手段と、更にユーザーデータベースと加盟事業者データベースに基づいて、ユーザーに対して製品の製造のおける技術や資金等の支援及び製品の販売における広告宣伝や販売窓口としての支援や歌手デビュー、役者デビューを目的とするユーザーへのマネージメント及びプロリュース等の支援するもので、更には、製品製造に係る、工業所有権等の権利取得の支援も行なうものである。
【発明の効果】
【００１５】  本発明は上記した構成を成すもので、以下に記載されるような効果を奏する。
生活に密着している商店街、ショッピングモール、スーパーマーケットとその近郊にいる利用者との、情報交換が行なえるようにし、日常生活におけるコミュニケーションを支援し、もって利用者の生活の利便性を向上させると共に、現実の商店街及びショッピングモールやスーパーマーケット等の振興を図る効果がある。【００１６】  加盟事業者、特に企業にとっては、新製品開発のヒントやアイデアを得る事が出来、また、直接ユーザーの意見を聞くことで、マーケティングの効果も有るもので、ユーザーにとっては、アイデアを実践する機会があたえられるものである。【００１７】  また、本発明を実現するには、各加盟事業者による企業リレーションシップが重要であり、従来の競争から共栄へと思考を変えて他事業者の共存共栄をはかる観点に立った、永続可能で新たな形態の企業連合体を構築することができる。【００１８】  更に、商品やサービス等を提供するが側とそれを利用する側に地域のサポーターを加えた広範な組織の中で、安心と信頼を保証された下に、個人の暮しに必要な様々な分野の、物やサービスと人の紹介を効率的に実現することができる。
【発明を実施するための最良の形態】［実施形態１］【００１９】  以下、本発明の実施例を工程図１を参照して説明する。
まずシステム主催者１０１が運営するホームページ２０４に、ユーザー１０３がインターネット等の通信ネットワーク２０５を介してアクセスし、表示されている公開情報１０２を確認し、ユーザー情報７を入力して、登録の申込１０４をする。【００２０】  上記ユーザー１０３の登録の申込１０４に対し、システム主催者１０１は登録の受付け１０５をし、ユーザーＩＤ番号８を付与する。【００２１】  登録の後ユーザー１０３は、システム主催者１０１の提供する施設やイベントなどを、商品購入や自分の製作した製品の展示販売、またパフォーマンスの披露などに利用する。【００２２】  次に、ユーザー１０３の施設やイベント等の利用情報１２とユーザー情報７を基に、ユーザーデータベース１０８を作成し、ユーザー１０３への支援内容９の選択及び検討１０９を行う。【００２３】  上記、選択及び検討１０９された支援内容９をユーザー１０３提示し、支援が必要な場合、ユーザー１０３より、支援の申込１１０を受け、加盟事業者１０６の中から支援事業者１０の選択１１１を行ない、選択された支援事業者１０に対して支援要請１１を行う。【００２４】  選択された支援事業者１０は、依頼された支援内容９に対して、商品の選択、研究開発、デビューに必要なプロリュースや企業や人の紹介、資金的なアドバイスなどの実務行為１１２を行い、その内容を支援情報１１３として、システム主催者１０１へ送る、その支援情報１１３と支援事業者１０の情報を基に支援データベース１１４を作成する。【００２５】  上記作成した支援データベース１１４を基本にして、具体的な支援行為１１５をユーザー１０３へ行なうものである。
【実施例】
【００２６】  以下、本発明の実施例を工程図及び構成図を参照して説明する。
商店街１及びショッピングモール２やスーパーマーケット３などのシステム主催者１０１に中央サーバー２０１を設け、次に、中央サーバー２０１により管理するホームページ２０４を設け、該ホームページ２０４にイベント情報、施設情報、商品情報から成る公開情報１０２を表示する。【００２７】  商品購入を目的とする顧客４とフリーマーケット及び個人用小店舗スペースで、製品の展示販売を行なう利用者５と歌手デビュー、役者デビュー希望者６から成るユーザー１０３が、コンピュータや携帯電話などのユーザー側端末２０２を使用して、通信ネットワーク２０５を介して、前記ホームページ２０４にアクセスし公開情報１０２を入手する。【００２８】  次に、ユーザー１０３は、公開情報１０２を検討し、プロフィール、製品アイデア情報、パフォーマンスなどから成るユーザー情報７を上記ホームページ２０４上から、前記中央サーバー２０１に送信し登録申込１０４を行う、ユーザー１０３からの登録申込１０４の対して、システム主催者１０１は受信したユーザー情報７を確認して、登録を受理１０５し、ＩＤ番号８をユーザー１０３へ付与し登録を完了する、【００２９】  登録を完了した後ユーザー１０３は、システム主催者１０１の提供するイベント情報、施設情報、商品情報から成る公開情報１０２などを基に、施設やイベント会場などで、商品購入や自分の製作した製品の展示販売、またパフォーマンスの披露をし、その利用情報１２とユーザー情報７を基に、ユーザーデータベース１０８を作成する。【００３０】  前記、ユーザーデータベース１０８内のプロフィール、製品アイデア情報、パフォーマンスなどから、支援を希望するユーザー１０３への支援内容９の選択及び検討１０９を行う、次に、選択及び検討１０９された支援内容９を、支援を希望するユーザー１０３に提示し更に検討して、ユーザー１０３より、支援の申込１１０を受ける。【００３１】  次に、ユーザー１０３より、支援の申込１１０を受けたら、加盟事業者１０６の中から選択及び検討１０９された支援内容９に適した、支援事業者１０の選択１１１を行ない、選択された支援事業者１０に対して支援要請１１を行う。【００３２】  前記、選択された支援事業者１０は、依頼された支援内容９に対して、購入希望商品の選択、製品アイデア情報に対し製品の製造技術の開発をする。更に、歌手や役者デビューを希望する場合には、必要なプロリュースやイベント企画主催会社、プロダクションの紹介、また、資金的なアドバイスなどの実務行為１１２を行い、その内容を支援情報１１３として、システム主催者１０１へ送る、その支援情報１１３と支援事業者１０の情報を基に支援データベース１１４を作成する。【００３３】  上記作成した支援データベース１１３を基本にして、ユーザー１０３に対して製品の製造のおける技術や資金等の支援及び製品の販売における広告宣伝や窓口としての支援や歌手デビュー、役者デビューを目的するユーザー１０３へのマネージメント及びプロリュース等の支援するもので、更には、製品製造に係る、工業所有権等の権利取得などの具体的な支援行為１１５をユーザー１０３へ行なうものである。
【産業上の利用可能性】
【００３４】
【図面の簡単な説明】
【００３５】
【図１】本発明の実施形態の構成を示す工程図である。
【図２】本発明の実施形態の情報配信方法が適用される通信ネットワークを含むシステムの構成を示す図である。
【図３】本発明の実施形態の構成を示す関係図である。
【符号の説明】
【００３６】１０１  システム主催者
１０２  公開情報
１０３  ユーザー
１０４  登録申込
１０５  登録受付
１０６  加盟事業者
１０７  利用内容
１０８  ユーザーデータベース
１０９  支援内容選択
１１０  支援申込
１１１  支援事業者選択
１１２  実務行為
１１３  支援情報
１１４  支援データベース
１１５  支援行為
１  商店街
２  ショッピングモール
３  スーパーマーケット
４  顧客
５  利用者
６  希望者
７  ユーザー情報
８  ＩＤ番号
９  支援内容
１０  支援事業者
１１  支援要請
１２  利用情報
２０１  中央サーバー
２０２  ユーザー側端末
２０３  加盟事業者端末
２０４  ホームページ
２０５  通信ネットワーク
【図１】
2007073021.tif 000003
【図２】
2007073021.tif 000004
【図３】
2007073021.tif 000005